(57)【要約】【課題】例えば環境の変化等が生じた場合であっても、光量むらの発生を抑制する。【解決手段】ＬＰＨ１４は、１２８個のＬＥＤを搭載したＬＥＤチップを６０個並べて構成されたＬＥＤアレイを実装するプリント基板５２と、複数のロッドレンズを２列に整列して構成されたロッドレンズアレイ５４とを備える。各ＬＥＤの発光光量は、ＬＥＤ個別の光量むらに基づいて設定されたＬＥＤ補正データと、ロッドレンズのピッチむらに基づいて設定されたレンズ補正データとを用いて補正される。温度変化によってプリント基板５２およびロッドレンズアレイ５４が伸縮することで生じる位置ずれを考慮し、温度に応じてレンズ補正データを変更する。具体的には、レンズ補正基準データに対し、温度に応じてデータの間引きあるいは追加し、レンズ補正データの作成を行う。【選択図】図４
2008155458.tif 000002
【特許請求の範囲】
【請求項１】
複数の発光素子が配列されてなる発光部と、
前記発光部に沿って当該発光部に対向配置され、複数の前記発光素子が発光する光を集光するレンズ部と、
前記発光素子毎に設定された補正値を用いて、当該発光素子毎の発光光量を補正する補正部と、
前記発光部と前記レンズ部との間に生じる位置ずれに応じて、前記補正値を設定する設定部と
を含む発光装置。
【請求項２】
前記補正値を保持する保持部をさらに含み、
前記設定部は、前記補正値を設定する際に、前記保持部から読み出した当該補正値の一部を間引きまたは追加することを特徴とする請求項１記載の発光装置。
【請求項３】
前記レンズ部は、前記発光部に沿って複数のレンズが配列されてなることを特徴とする請求項１記載の発光装置。
【請求項４】
前記レンズ部は、前記発光部に沿って複数の屈折率分布型レンズが配列されてなることを特徴とする請求項１記載の発光装置。
【請求項５】
像保持体と、
複数の発光素子が配列されてなる発光部と、
前記発光部に沿って当該発光部および前記像保持体に対向配置され、複数の前記発光素子が発光する光を当該像保持体に集光するレンズ部と、
前記発光部における前記発光素子毎の光量むらを補正するための素子補正値と前記レンズ部における当該発光素子毎の光量むらを補正するためのレンズ補正値とを用いて、当該発光素子毎の発光光量を補正する補正部と、
環境条件に基づいて前記レンズ補正値を変更するレンズ補正値変更部と
を含む画像形成装置。
【請求項６】
前記素子補正値を保持する素子補正値保持部と、
前記レンズ補正値の基準データを保持するレンズ補正値保持部とをさらに含み、
前記レンズ補正値変更部は、前記レンズ補正値保持部から読み出した前記レンズ補正値の基準データの一部を間引きまたは追加することによって得た当該レンズ補正値を前記補正部に出力することを特徴とする請求項５記載の画像形成装置。
【発明の詳細な説明】
【技術分野】
【０００１】
本発明は、複数の発光素子を用いて発光を行う発光装置等に関する。
【背景技術】
【０００２】
近年、電子写真方式を採用した画像形成装置において、感光体等の像保持体を露光する露光装置として、多数のＬＥＤ(発光ダイオード：Light Emitting Diode)を主走査方向に配列して構成されたＬＥＤプリントヘッド(ＬＰＨ：LED Print Head)が使用されてきている。この種のＬＰＨは、通常、各ＬＥＤから出力された光を感光体表面に結像させるために多数のロッドレンズが配列されたロッドレンズアレイを備えている。そして、像担持体上に照射される光の光量むらを抑制するため、各ＬＥＤの光量補正データを予め取得し、使用時に光量補正データに基づく光量補正を行う技術が知られている（特許文献１参照。）。
【０００３】
【特許文献１】特開平１１−２２７２５４号公報
【発明の開示】
【発明が解決しようとする課題】
【０００４】
本発明は、上述した技術を背景としてなされたものであり、その目的とするところは、例えば環境の変化等が生じた場合であっても、光量むらの発生を抑制することにある。
【課題を解決するための手段】
【０００５】
かかる目的のもと、本発明が適用される発光装置は、複数の発光素子が配列されてなる発光部と、発光部に沿って発光部に対向配置され、複数の発光素子が発光する光を集光するレンズ部と、発光素子毎に設定された補正値を用いて、発光素子毎の発光光量を補正する補正部と、発光部とレンズ部との間に生じる位置ずれに応じて、補正値を設定する設定部とを含んでいる。
【０００６】
このような発光装置において、補正値を保持する保持部をさらに含む場合に、設定部は、補正値を設定する際に、保持部から読み出した補正値の一部を間引きまたは追加することを特徴とすることができる。また、レンズ部は、発光部に沿って複数のレンズが配列されてなることを特徴とすることができる。さらに、レンズ部は、発光部に沿って複数の屈折率分布型レンズが配列されてなることを特徴とすることができる。
【０００７】
また、他の観点から捉えると、本発明が適用される画像形成装置は、像保持体と、複数の発光素子が配列されてなる発光部と、発光部に沿って発光部および像保持体に対向配置され、複数の発光素子が発光する光を像保持体に集光するレンズ部と、発光部における発光素子毎の光量むらを補正するための素子補正値とレンズ部における発光素子毎の光量むらを補正するためのレンズ補正値とを用いて、発光素子毎の発光光量を補正する補正部と、環境条件に基づいてレンズ補正値を変更するレンズ補正値変更部とを含んでいる。
【０００８】
このような画像形成装置において、素子補正値を保持する素子補正値保持部と、レンズ補正値の基準データを保持するレンズ補正値保持部とをさらに含む場合に、レンズ補正値変更部は、レンズ補正値保持部から読み出したレンズ補正値の基準データの一部を間引きまたは追加することによって得たレンズ補正値を補正部に出力することを特徴とすることができる。
【発明の効果】
【０００９】
請求項１記載の発明によれば、例えば環境の変化等が生じた場合であっても、発光部とレンズ部との間に生じる位置ずれに起因する光量むらの発生を抑制することができる。
請求項２記載の発明によれば、補正値を予め複数持つ必要がなくなり、メモリ容量等を削減することが可能になる。
請求項３記載の発明によれば、レンズ部として複数のレンズを用いた場合であっても、光量むらの発生を抑制することができる。
請求項４記載の発明によれば、レンズ部として複数の屈折率分布型レンズを用いた場合であっても、光量むらの発生を抑制することができる。
請求項５記載の発明によれば、例えば環境の変化等が生じた場合であっても、発光部とレンズ部との間に生じる位置ずれに起因する光量むらの発生を抑制することができる。
請求項６記載の発明によれば、レンズ補正値の作成が容易になり、装置構成を簡易なものとすることができる。
【発明を実施するための最良の形態】
【００１０】
以下、添付図面を参照して、本発明を実施するための最良の形態（以下、実施の形態という）について詳細に説明する。
図１は本実施の形態に係る画像形成装置の全体構成を示した図であり、所謂タンデム型のデジタルカラー複写機を示している。図１に示す画像形成装置は、本体１に、各色の階調データに対応して画像形成を行う画像プロセス系１０、記録用紙（シート）を搬送するシート搬送系３０、画像プロセス系１０を制御する画像出力制御部４１、例えばパーソナルコンピュータやスキャナユニット４５等に接続され、受信された画像データに対して所定の画像処理を施す画像処理部４２を備えている。
【００１１】
画像プロセス系１０は、水平方向に一定の間隔を置いて並列的に配置される、イエロー（Ｙ）、マゼンタ（Ｍ）、シアン（Ｃ）、黒（Ｋ）の４つの画像形成ユニット１１Ｙ、１１Ｍ、１１Ｃ、１１Ｋ、この画像形成ユニット１１Ｙ、１１Ｍ、１１Ｃ、１１Ｋの感光体ドラム１２に形成された各色のトナー像を中間転写ベルト２１上に多重転写させる転写ユニット２０を備えている。また本体１は、転写ユニット２０によって二次転写された記録用紙（シート）上の画像を、熱および圧力を用いて記録用紙に定着させる定着器２９を備えている。さらに、本体１には、画像形成ユニット１１Ｙ、１１Ｍ、１１Ｃ、１１Ｋに対して各色のトナーを供給するためのトナーカートリッジ１９Ｙ、１９Ｍ、１９Ｃ、１９Ｋが設けられている。なお、黒の画像形成ユニット１１Ｋの下方には、環境条件としての本体１内の温度を測定する温度センサ４３が装着されている。
【００１２】
転写ユニット２０は、中間転写ベルト２１を駆動するドライブロール２２、中間転写ベルト２１に一定のテンションを付与するテンションロール２３、重畳された各色のトナー像を記録用紙に二次転写するためのバックアップロール２４、中間転写ベルト２１上に存在する残留トナー等を除去するベルトクリーナ２５を備えている。中間転写ベルト２１は、このドライブロール２２とテンションロール２３およびバックアップロール２４との間に一定のテンションで掛け回されており、図示しない駆動モータによって回転駆動されるドライブロール２２により、所定の速度で循環駆動される。この中間転写ベルト２１は、例えば、チャージアップを起こさないベルト素材（ゴムまたは樹脂）にて抵抗調整されたものが使用されている。
【００１３】
シート搬送系３０は、画像が記録される記録用紙（シート）を積載して供給する給紙トレイ３１、給紙トレイ３１から記録用紙を取り上げて供給する繰り出しロール３２、繰り出しロール３２から供給された記録用紙を１枚ずつ分離して搬送するフィードロール３３、フィードロール３３により１枚ずつに分離された記録用紙を二次転写位置に向けて搬送する搬送路３４を備えている。また、搬送路３４を介して搬送された記録用紙に対し、二次転写位置に向けてタイミングを合わせて搬送するレジストロール３５、二次転写位置に設けられバックアップロール２４に圧接して記録用紙上に画像を二次転写する二次転写ロール３６、定着器２９によってトナー画像が定着された記録用紙を本体１の機外に排出する排出ロール３７、排出ロール３７によって排出された記録紙を積載する排出トレイ３８を備えている。
【００１４】
また、スキャナユニット４５は、図示しないＣＣＤイメージセンサ等によってプラテンガラスに載置された原稿の画像あるいは、プラテンガラス上を搬送される原稿の画像を読み取る。ここで、本実施の形態に係る画像形成装置では、本体１の上部側にスキャナユニット４５を配設することにより、省スペース化を図っている。なお、排出トレイ３８とスキャナユニット４５との間には所定の隙間が形成されており、排出トレイ３８に排出された画像形成後の記録用紙を容易に取り出せるようになっている。
【００１５】
次に、画像プロセス系１０における画像形成ユニット１１Ｙ、１１Ｍ、１１Ｃ、１１Ｋについて詳述する。図２は、画像形成ユニット１１Ｙ、１１Ｍ、１１Ｃ、１１Ｋの構成を説明するための図であり、ここでは、イエロー（Ｙ）の画像形成ユニット１１Ｙを示している。他の画像形成ユニット１１Ｍ、１１Ｃ、１１Ｋは、現像器１５に収容されるトナーの色を除き、略同様の構成を有している。
【００１６】
画像形成ユニット１１Ｙ（１１Ｍ、１１Ｃ、１１Ｋ）は、トナー像を保持させる像保持体としての感光体ドラム１２、帯電ロールを用いて感光体ドラム１２を帯電させる帯電器１３、帯電器１３によって帯電された感光体ドラム１２に光を照射して感光体ドラム１２上に静電潜像を形成するＬＥＤプリントヘッド（LED Print Head：ＬＰＨ）１４、このＬＰＨ１４によって感光体ドラム１２上に形成された静電潜像をトナーで現像する現像器１５、中間転写ベルト２１を挟んで感光体ドラム１２に対向して設けられ、感光体ドラム１２上に現像されたトナー像を中間転写ベルト２１上に転写する一次転写ロール１６、転写後に感光体ドラム１２上に残った残留トナーを除去するドラムクリーナ１７を備えている。
また、中間転写ベルト２１は感光体ドラム１２の鉛直方向上部側に配置されており、ＬＰＨ１４は感光体ドラム１２の鉛直方向下部側に配置されている。
【００１７】
次に、図１および図２を用いて、本実施の形態に係る画像形成装置の動作について説明する。例えばスキャナユニット４５によって読み取られた原稿の色材反射光像や、図示しないパーソナルコンピュータ等にて形成された色材画像データは、例えばＲ（赤）、Ｇ（緑）、Ｂ（青）の各８ビットの反射率データとして画像処理部４２に入力される。画像処理部４２では、入力された反射率データに対して、シェーディング補正、位置ズレ補正、明度/色空間変換、ガンマ補正、枠消しや色編集、移動編集等の各種画像編集等の所定の画像処理が施される。画像処理が施された画像データは、イエロー（Ｙ）、マゼンタ（Ｍ）、シアン（Ｃ）、黒（Ｋ）の４色の色材階調データに変換され、各画像形成ユニット１１Ｙ、１１Ｍ、１１Ｃ、１１ＫのＬＰＨ１４に出力される。
【００１８】
各画像形成ユニット１１Ｙ、１１Ｍ、１１Ｃ、１１Ｋでは、感光体ドラム１２が帯電器１３によって所定の電位に帯電される。また、各画像形成ユニット１１Ｙ、１１Ｍ、１１Ｃ、１１ＫのＬＰＨ１４では、画像処理部４２より入力された色材階調データに応じて、対応するＬＥＤを発光させ、ロッドレンズアレイ５４（後述）を介して画像形成ユニット１１Ｙ、１１Ｍ、１１Ｃ、１１Ｋの感光体ドラム１２に照射している。画像形成ユニット１１Ｙ、１１Ｍ、１１Ｃ、１１Ｋの感光体ドラム１２では、帯電された表面が露光され、静電潜像が形成される。形成された静電潜像は、各々の画像形成ユニット１１Ｙ、１１Ｍ、１１Ｃ、１１Ｋの現像器１５にて、イエロー（Ｙ）、マゼンタ（Ｍ）、シアン（Ｃ）、黒（Ｋ）の各色のトナー像として現像される。
【００１９】
画像形成ユニット１１Ｙ、１１Ｍ、１１Ｃ、１１Ｋの各感光体ドラム１２上に形成されたトナー像は、中間転写ベルト２１上に多重転写される。また、転写後の画像形成ユニット１１Ｙ、１１Ｍ、１１Ｃ、１１Ｋの感光体ドラム１２は、各ドラムクリーナ１７によってクリーニングされる。
【００２０】
一方、シート搬送系３０では、画像形成のタイミングに合わせて繰り出しロール３２が回転し、給紙トレイ３１から所定サイズの記録用紙が供給される。フィードロール３３により１枚ずつ分離された記録用紙は、搬送路３４を経てレジストロール３５に搬送され、一旦、停止される。その後、トナー像が形成された中間転写ベルト２１の移動タイミングに合わせてレジストロール３５が回転し、記録用紙は、バックアップロール２４および二次転写ロール３６によって形成される二次転写位置に搬送される。二次転写位置にて下方から上方に向けて搬送される記録用紙には、圧接力および所定の電界を用いて、４色が重畳されているトナー像が副走査方向に順次、転写される。そして、各色のトナー像が転写された記録用紙は、定着器２９によって熱および圧力で定着処理を受けた後、排出ロール３７によって本体１の上部に設けられた排出トレイ３８に排出される。一方、二次転写後の中間転写ベルト２１は、ベルトクリーナ２５によってクリーニングされ、次のプロセスに備える。
【００２１】
次に、ＬＰＨ１４について詳細に説明する。図３は上述したＬＰＨ１４の拡大断面図を示している。
ＬＰＨ１４は、ＬＥＤアレイ５１、プリント基板５２、支持部材５３、ロッドレンズアレイ５４、およびＬＰＨハウジング５５を含んでいる。ここで、発光部としてのＬＥＤアレイ５１は、後述するように多数のＬＥＤ（発光素子）を直線状に配列したＬＥＤチップ５６を千鳥状に配列して構成される。このプリント基板５２は、例えばガラス布基材エポキシ樹脂を基材とする所謂ガラエポ基板で構成されている。また、プリント基板５２はＬＥＤアレイ５１を支持すると共にＬＥＤアレイ５１の駆動を制御するためのドライバＩＣ６４（後述）が取り付けられ、その表面あるいはその内部には図示しない配線が形成される。支持部材５３は、例えばＦＲＰ（Fiber Reinforced Plastics）で形成されており、プリント基板５２を支持する。レンズ部としてのロッドレンズアレイ５４は、ＬＥＤアレイ５１の上部側に設けられ、各ＬＥＤから出射された光ビームを感光体ドラム１２上に結像させる。そして、ＬＰＨハウジング５５は、例えばＦＲＰで形成されており、プリント基板５２が取り付けられた支持部材５３およびロッドレンズアレイ５４を保持する。
【００２２】
また、図４はＬＰＨ１４の斜視図を示している。
このＬＰＨ１４では、ロッドレンズアレイ５４の主走査方向両端部よりも外側までＬＰＨハウジング５５が突出形成されている。なお、ＬＰＨハウジング５５のうち、これら突出形成される部位を第１の突出部５５ａ、第２の突出部５５ｂと呼ぶことにする。ここで、第１の突出部５５ａは第２の突出部５５ｂよりも長く設定されている。そして、これら突出部５５ａ、５５ｂには、本体１（図１参照）に設けられたフレーム（図示せず）に対してＬＰＨ１４を位置決めするためのボルト５８ａ、５８ｂが上下方向にそれぞれ貫通配設されている。また、ＬＰＨ１４の主走査方向一端部側、具体的には、ＬＰＨハウジング５５に設けられた第１の突出部５５ａ側には、ＬＥＤアレイ５１（図３参照）が取り付けられるプリント基板５２が延設配置されている。そして、第１の突出部５５ａ上に露出しているプリント基板５２の上面には、ＬＥＤアレイ５１を駆動するためのドライバＩＣ６４が取り付けられている。
【００２３】
また、ドライバＩＣ６４とボルト５８ａの取り付け位置との間のプリント基板５２上面には、ドライバＩＣ６４やＬＥＤアレイ５１等に給電を行う電源ケーブル７１が取り付けられている。さらに、ボルト５８ａの取り付け位置よりも外側のプリント基板５２の上面には、画像処理部４２（図１参照）から送られるビデオデータ（Ｖｄａｔａ）、画像出力制御部４１（図１参照）から送られるクロック（ｃｌｋ）や同期信号（Ｌｓｙｎｃ）等を受け取るためのハーネス７２が取り付けられている。
【００２４】
さらに、図５は、ＬＰＨ１４の要部を示しており、図５（ａ）はプリント基板５２の上面図を、図５（ｂ）はロッドレンズアレイ５４およびＬＰＨハウジング５５の上面図を、それぞれ例示している。
プリント基板５２において、ＬＥＤアレイ５１は、図５（ａ）に示すように、プリント基板５２上にＬＥＤチップ５６が副走査方向（ｙ方向）に二列に、千鳥状に配列されている。ＬＥＤを一列に並べて構成されるＬＥＤチップ５６は、例えば１つのチップに１２８画素の発光点（ＬＥＤ）が配列されている。全てのＬＥＤチップ５６を直線状に並べると、隣接するＬＥＤチップ５６の接続部分でＬＥＤの間隔を画素間隔（例えば６００ｄｐｉであれば４２．２μｍ）にするため、チップ端部の切断面と発光点との間隔が非常に狭くなり、発光部にカケ等を生じる不具合が起こりやすい。そこで、図５（ａ）に示すように、ＬＥＤチップ５６を千鳥状に配列して、チップ端部の切断面と発光点との距離を広くしたうえで、主走査方向（ｘ方向）に必要画素分、配置させることが有効である。このＬＥＤチップ５６の千鳥配列は、特に１２００ｄｐｉ以上の高密度実装を必要とする場合に有利である。
【００２５】
また、プリント基板５２には、ＬＰＨ１４の主走査方向一端部側であってロッドレンズアレイ５４（ＬＥＤアレイ５１）と略直列の位置に、ＬＥＤアレイ５１を駆動するためのドライバＩＣ６４、電源ケーブル７１（図４参照）が取り付けられる電源供給用の電源線コネクタ６５、そしてハーネス７２（図４参照）が取り付けられる通信用の信号線コネクタ６６が配置される。
【００２６】
また、図５（ｂ）に示すように、ロッドレンズアレイ５４は、ＬＰＨハウジング５５に、ロッドレンズ５７が互い違いとなるように二列に整列して配置されている。ただし、「整列」といっても、その構造上、光学特性（光の透過率）に周期的なむらを有している。各ロッドレンズ５７は例えば円柱状の形状を有しており、その半径方向に屈折率分布を有する屈折率分布型レンズにて構成される。このような屈折率分布型レンズとしては、例えばセルフォック（日本板硝子株式会社の商標）レンズアレイが挙げられる。そして、本実施の形態では、直径０．９ｍｍのロッドレンズ５７を用いている。
【００２７】
なお、以下の説明では、ＬＥＤアレイ５１の一方の端部側（ドライバＩＣ６４が配置される側）に設けられたＬＥＤチップ５６をＣ１と呼び、このＣ１の隣に設けられたＬＥＤチップ５６をＣ２と呼ぶ。なお、本実施の形態では、プリント基板５２上に合計で６０個のＬＥＤチップ５６（Ｃ１〜Ｃ６０）が実装される。つまり、ＬＥＤアレイ５１は、合計で７６８０個のＬＥＤを備えていることになる。また、Ｃ１の外側端部からＣ６０の外側端部までの距離（ＬＥＤアレイ５１の主走査方向長さ）は、Ａ３ノビの記録用紙への画像形成に対応するために３２４ｍｍに設定される。このため、隣接するＬＥＤの間隔は約４２．２μｍに設定され、このＬＰＨ１４の主走査方向の出力解像度は６００ｄｐｉ（dot per inch）となる。
【００２８】
図６は、支持部材５３に対するプリント基板５２の取り付けを説明するための図である。
本実施の形態において、プリント基板５２は２種類の接着剤を用いて支持部材５３に取り付けられている。より具体的に説明すると、プリント基板５２のうち、ドライバＩＣ６４が実装される側は、接着後の強度が大きくなる第１の接着剤８１によって支持部材５３に接着される。一方、プリント基板５２のうち、各ＬＥＤチップ５６が実装される側は、第１の接着剤８１よりも接着後の強度が弱くなる第２の接着剤８２によって支持部材５３に接着される。ここで、第１の接着剤８１としては例えばエポキシ系接着剤を、第２の接着剤８２としては例えばシリコーン系接着剤を、それぞれ使用することができる。
【００２９】
これにより、本実施の形態では、プリント基板５２の一端側（ドライバＩＣ６４側）に比べて他端側（ＬＥＤチップ５６側）の接着強度が低くなる。このため、ＬＥＤの発光等による熱に伴ってプリント基板５２が膨張する場合に、プリント基板５２はＬＥＤチップ５６（Ｃ６０）側に向かって延びることになる。
【００３０】
図７は、ドライバＩＣ６４の構成およびプリント基板５２に形成される配線構造を示す図である。ここで、ドライバＩＣ６４は、信号発生回路１００、ＥＥＰＲＯＭ（Electrically Erasable and Programmable ROM）１０２、およびレベルシフト回路１０４を備える。
【００３１】
信号発生回路１００は、各ＬＥＤチップ５６(Ｃ１〜Ｃ６０)に対して点灯信号ΦＩ(ΦＩ１〜ΦＩ６０)を出力する点灯信号発生部１０１を備えている。また、信号発生回路１００は、各ＬＥＤチップ５６(Ｃ１〜Ｃ６０)を六組(１０チップ毎)に分け、それぞれの組に対して転送信号ＣＫ１(ＣＫ１_１〜ＣＫ１_６)および転送信号ＣＫ２(ＣＫ２_１〜ＣＫ２_６)を出力する転送信号発生部１０３を備えている。なお、信号発生回路１００には、ライン同期信号Ｌｓｙｎｃ、ビデオデータＶｄａｔａ、クロック信号ｃｌｋ、温度検知信号Ｔｅｍｐが入力される。また、信号発生回路１００には、ＥＥＰＲＯＭ１０２からＬＥＤ補正データＵ、レンズ補正基準データＶ、補正テーブルＴａも入力される。これらＬＥＤ補正データＵ、レンズ補正基準データＶ、補正テーブルＴａは、画像形成装置の出荷前に予め決定され、ＥＥＰＲＯＭ１０２に記憶されている。本実施の形態において、ＥＥＰＲＯＭ１０２は、保持部、素子補正値保持部、およびレンズ補正値保持部として機能する。なお、ＬＥＤ補正データＵ、レンズ補正基準データＶ、および補正テーブルＴａの詳細については後述する。
【００３２】
また、プリント基板５２には、各ＬＥＤチップ５６(Ｃ１〜Ｃ６０)に電力を供給するＶｃｃ＝＋３．３Ｖの電源ライン１０５および接地(ＧＮＤ)された電源ライン１０６が設けられている。また、信号発生回路１００の点灯信号発生部１０１から各ＬＥＤチップ５６に対して点灯信号ΦＩ(ΦＩ１〜ΦＩ６０)を送信する点灯信号ライン１０７(１０７_１〜１０７_６０)も設けられている。さらに、信号発生回路１００の転送信号発生部１０３から第１の転送信号ＣＫ１(ＣＫ１_１〜１_６)を送信する第１の転送信号ライン１０８(１０８_１〜１０８_６)、および、第２の転送信号ＣＫ２(ＣＫ２_１〜２_６)を送信する第２の転送信号ライン１０９(１０９_１〜１０９_６)も設けられている。
【００３３】
そして、各ＬＥＤチップ５６（Ｃ１〜Ｃ６０）には、点灯信号ライン１０７を介して、対応する点灯信号ΦＩ(ΦＩ１〜ΦＩ６０)が入力される。また、各ＬＥＤチップ５６には、第１の転送信号ライン１０８を介して対応する第１の転送信号ＣＫ１(ＣＫ１_１〜１_６)、および、第２の転送信号ライン１０９を介して対応する第２の転送信号ＣＫ２(ＣＫ２_１〜２_６)が、それぞれ入力される。
【００３４】
図８は、ＬＥＤチップ５６、信号発生回路１００およびレベルシフト回路１０４の構成を説明する図である。ただし、図８では、ＬＥＤアレイ５１を構成する複数のＬＥＤチップ５６のうち、Ｃ１のみを示している。なお、他のＬＥＤチップ５６であるＣ２〜Ｃ６０もＣ１と同じ構成を有している。
【００３５】
ＬＥＤチップ５６は、レベルシフト回路１０４を介して信号発生回路１００に接続されている。レベルシフト回路１０４は、抵抗Ｒ１ＢとコンデンサＣ１Ａとを並列接続し、また抵抗Ｒ２ＢとコンデンサＣ２Ａとを並列接続した構成を有している。そして、それぞれの一端がＬＥＤチップ５６の入力端子に接続され、他端が信号発生回路１００の出力端子に接続されている。レベルシフト回路１０４では、信号発生回路１００（具体的には図７に示す転送信号発生部１０３）から出力される転送信号ＣＫ１Ｒ、ＣＫ１Ｃおよび転送信号ＣＫ２Ｒ、ＣＫ２Ｃに基づいて、第１の転送信号ＣＫ１（ＬＥＤチップ５６（Ｃ１）の場合はＣＫ１_１、以下同じ）および第２の転送信号ＣＫ２（ＣＫ２_１）を、ＬＥＤチップ５６（Ｃ１）に出力している。また、ＬＥＤチップ５６は、駆動電流設定抵抗ＲＩＤを介して信号発生回路１００に接続されている。そして、信号発生回路１００（具体的には図７に示す点灯信号発生部１０１）は、駆動信号ＩＤを出力することで、駆動電流設定抵抗ＲＩＤを介して点灯信号ΦＩ（ΦＩ１）を、ＬＥＤチップ５６（Ｃ１）に出力している。なお、信号発生回路１００は、入力されてくる各種信号に基づいて、転送信号ＣＫ１Ｒ、ＣＫ１Ｃ、転送信号ＣＫ２Ｒ、ＣＫ２Ｃ、および駆動信号ＩＤを生成し、出力している。
【００３６】
図８に示したように、ＬＥＤチップ５６は、１２８個のサイリスタＳ１〜Ｓ１２８および１２８個のＬＥＤ Ｌ１〜Ｌ１２８を備えている。またＬＥＤチップ５６は、１２８個のダイオードＤ１〜Ｄ１２８、１２８個の抵抗Ｒ１〜Ｒ１２８、さらには第１の転送信号ライン１０８（１０８_１）、第２の転送信号ライン１０９（１０９_１）に過剰な電流が流れるのを防止する転送電流制限抵抗Ｒ１Ａ、Ｒ２Ａを有している。
【００３７】
このＬＥＤチップ５６において、各サイリスタＳ１〜Ｓ１２８のアノード端子（入力端）Ａ１〜Ａ１２８は電源ライン１０５に接続されている。この電源ライン１０５には電源電圧Ｖｃｃ（＝＋３.３Ｖ）が供給される。
奇数番目サイリスタＳ１、Ｓ３、…、Ｓ１２５、Ｓ１２７のカソード端子Ｋ１、Ｋ３、…、Ｋ１２５、Ｋ１２７には、信号発生回路１００からレベルシフト回路１０４、第１の転送信号ライン１０８（１０８_１）、および転送電流制限抵抗Ｒ１Ａを介して第１の転送信号ＣＫ１（ＣＫ１_１）が送信される。また、偶数番目のサイリスタＳ２、Ｓ４、…、Ｓ１２６、Ｓ１２８のカソード端子Ｋ２、Ｋ４、…、Ｋ１２６、Ｋ１２８には、信号発生回路１００からレベルシフト回路１０４、第２の転送信号ライン１０９（１０９_１）、および転送電流制限抵抗Ｒ２Ａを介して第２の転送信号ＣＫ２（ＣＫ２_１）が送信される。
【００３８】
一方、各サイリスタＳ１〜Ｓ１２８のゲート端子Ｇ１〜Ｇ１２８は、各サイリスタＳ１〜Ｓ１２８に対応して設けられた抵抗Ｒ１〜Ｒ１２８を介して電源ライン１０６に各々接続されている。なお、電源ライン１０６は接地（ＧＮＤ）されている。
また、各サイリスタＳ１〜Ｓ１２８のゲート端子Ｇ１〜Ｇ１２８と、各サイリスタＳ１〜Ｓ１２８に対応して設けられたＬＥＤ Ｌ１〜Ｌ１２８のゲート端子とは各々接続され
る。
さらに、各サイリスタＳ１〜Ｓ１２８のゲート端子Ｇ１〜Ｇ１２８には、ダイオードＤ１〜Ｄ１２８のカソード端子が接続されている。そして、サイリスタＳ１〜Ｓ１２７のゲート端子Ｇ１〜Ｇ１２７には、次段のダイオードＤ２〜Ｄ１２８のアノード端子が各々接続されている。すなわち、各ダイオードＤ１〜Ｄ１２８はゲート端子Ｇ１〜Ｇ１２７を挟んで直列接続されている。
さらにまた、ダイオードＤ１のアノード端子は、転送電流制限抵抗Ｒ２Ａ、第２の転送信号ライン１０９（１０９_１）、およびレベルシフト回路１０４を介して信号発生回路１００に接続されている。このため、ダイオードＤ１には、第２の転送信号ＣＫ２（ＣＫ２_１）が送信される。また、ＬＥＤ Ｌ１〜Ｌ１２８のカソード端子は、点灯信号ライン１０７（１０７_１）および駆動電流設定抵抗ＲＩＤを介して信号発生回路１００に接続され、点灯信号ΦＩ（ΦＩ１）が送信される。
【００３９】
そして、ＬＥＤチップ５６には、サイリスタＳ１〜Ｓ１２８およびダイオードＤ１〜Ｄ１２８を覆うように遮光マスク（図示せず）が配置される。この遮光マスクは、画像形成動作中に、オン状態にあって電流が流れている状態におけるサイリスタＳ１〜Ｓ１２８や、電流が流れている状態におけるダイオードＤ１〜Ｄ１２８からの発光を遮断し、不要光が感光体ドラム１２（図２参照）を露光するのを抑制している。
【００４０】
次に、信号発生回路１００およびレベルシフト回路１０４から出力される、ＬＥＤアレイ５１（各ＬＥＤチップ５６）を駆動する信号について説明する。
図９は、信号発生回路１００およびレベルシフト回路１０４から出力される信号および各ＬＥＤの発光動作を説明するためのタイミングチャートである。なお、図９に示すタイミングチャートでは、各ＬＥＤチップ５６において、すべてのＬＥＤ Ｌ１〜Ｌ１２８が光書き込みを行う（発光する）場合について表記している。
【００４１】
（１）まず、信号発生回路１００にリセット信号ＲＳＴが入力されることによって、信号発生回路１００（転送信号発生部１０３）は、転送信号ＣＫ１Ｒを「Ｈ」に、また、転送信号ＣＫ１Ｃを「Ｈ」に設定する。これを受けて、レベルシフト回路１０４では、第１の転送信号ＣＫ１が「Ｈ」として出力される。一方、転送信号発生部１０３は、転送信号ＣＫ２Ｒを「Ｌ」に、また、転送信号ＣＫ２Ｃを「Ｌ」に設定する。これを受けて、レベルシフト回路１０４では、第２の転送信号ＣＫ２が「Ｌ」として出力される。その結果、ＬＥＤチップ５６では、すべてのサイリスタＳ１〜Ｓ１２８がオフの状態になる（図９（ａ））。
なお、この状態では、信号発生回路１００（点灯信号発生部１０１）にビデオデータＶｄａｔａが入力されていないことから、点灯信号ΦＩは「Ｈ」に設定されている（図９（Ｈ））。
【００４２】
（２）リセット信号ＲＳＴに続いて、信号発生回路１００に入力されるライン同期信号Ｌｓｙｎｃが所定期間だけ「Ｈ」に設定される（図９（Ａ））。これにより、ＬＥＤチップ５６の動作が開始される。そして、このライン同期信号Ｌｓｙｎｃに同期して、転送信号発生部１０３は、図９（Ｅ）、（Ｆ）に示すように、転送信号ＣＫ２Ｃおよび転送信号ＣＫ２Ｒを「Ｈ」に設定する。そして、レベルシフト回路１０４では、これを受けて、図９（Ｇ）に示すように、第２転送信号ＣＫ２が「Ｈ」に設定される（図９（ｂ））。
【００４３】
（３）次に、図９（Ｃ）に示すように、転送信号発生部１０３は、転送信号ＣＫ１Ｒを「Ｌ」にする（図９（ｃ））。これを受けて、レベルシフト回路１０４では、コンデンサＣ１Ａに蓄積された電荷が抵抗Ｒ１Ｂに向かう方向に流れ、やがて、図９（Ｄ）に示すように、第１の転送信号ＣＫ１の電位がＧＮＤになる。ここで、転送信号ＣＫ１Ｃの電位は＋３.３Ｖに設定されているため、コンデンサＣ１Ａの両端電位は＋３.３Ｖ（＝Ｖｃｃ）となる。
【００４４】
（４）これに続いて、図９（Ｂ）に示すように、転送信号発生部１０３は、転送信号ＣＫ１Ｃを「Ｌ」にする（図９（ｄ））。
この状態においては、サイリスタＳ１にゲート電流が流れ始める。その際に、抵抗Ｒ１Ｂに対応するトライステートバッファ（図示せず）をハイインピーダンス（Ｈｉｚ）にすることで、電流の逆流防止を行う。
その後、サイリスタＳ１に流れるゲート電流により、サイリスタＳ１がオンし始め、ゲート電流が徐々に増加する。それと共に、レベルシフト回路１０４のコンデンサＣ１Ａに電流が流れ込むことで、第１の転送信号ＣＫ１の電位も徐々に上昇する。
【００４５】
（５）所定時間（第１の転送信号ＣＫ１の電位がＧＮＤ近傍になる時間）の経過後、転送信号発生部１０３は、転送信号ＣＫ１Ｒを「Ｌ」にする（図９（ｅ））。すると、ゲート端子Ｇ１の電位が上昇することによって第１の転送信号ＣＫ１の電位が上昇し、これに伴いレベルシフト回路１０４の抵抗Ｒ１Ｂ側に電流が流れ始める。その一方で、第１の転送信号ＣＫ１の電位が上昇するのに従い、レベルシフト回路１０４のコンデンサＣ１Ａに流れ込む電流は徐々に減少する。
そして、サイリスタＳ１が完全にオンし、定常状態となると、サイリスタＳ１のオン状態を保持するための電流がレベルシフト回路１０４の抵抗Ｒ１Ｂに流れるが、コンデンサＣ１Ａには流れなくなる。なお、転送信号ＣＫ１Ｒを「Ｌ」に設定する際、図９（Ｂ）に示すように、コンデンサＣ１Ａに対応するトライステートバッファ（図示せず）をハイインピーダンス（ＨｉＺ）に設定する（図９（ｅ））。
【００４６】
（６）サイリスタＳ１が完全にオンした状態で、図９（Ｈ）に示すように、ビデオデータＶｄａｔａに基づき、点灯信号発生部１０１で作成された点灯信号ΦＩが「Ｌ」に設定される（図９（ｆ））。このとき、ゲート端子Ｇ１の電位＞ゲート端子Ｇ２の電位であるため、ＬＥＤ Ｌ１の方が早くオンし、点灯する。ＬＥＤ Ｌ１がオンするのに伴って点灯信号ライン１０７の電位が上昇するため、ＬＥＤ Ｌ２からＬ１２８までがオンすることはない。すなわち、最もゲート電圧の高いＬＥＤ Ｌ１のみがオン（点灯）することになる。
【００４７】
（７）次に、図９（Ｆ）に示すように、転送信号発生部１０３が転送信号ＣＫ２Ｒを「Ｌ」にすると（図９（ｇ））、図９（ｃ）の場合と同様に電流が流れ、レベルシフト回路１０４のコンデンサＣ２Ａの両端に電圧が発生する。
（８）図９（Ｅ）に示すように、この状態で転送信号発生部１０３が転送信号ＣＫ２Ｃを「Ｌ」にする（図９（ｈ））。これに伴い、サイリスタＳ２がターンオンする。
（９）そして、図９（Ｂ）、（Ｃ）に示すように、転送信号発生部１０３が転送信号ＣＫ１Ｃ、ＣＫ１Ｒを同時にＨにすると（図９（ｉ））、第１の転送信号ＣＫ１が「Ｈ」となる。第１の転送信号ＣＫ１が「Ｈ」となることにより、サイリスタＳ１がターンオフし、抵抗Ｒ１を介して放電することによりゲート端子Ｇ１の電位は徐々に下降する。その際、サイリスタＳ２は、ゲート端子Ｇ２の電位の上昇により完全にオンする。
【００４８】
（１０）サイリスタＳ２が完全にオンした状態で、図９（Ｈ）に示すように、点灯信号ΦＩが、ともに「Ｌ」に設定される。これにより、ＬＥＤ Ｌ２が点灯する。また、点灯信号ΦＩを「Ｈ」に設定することで、ＬＥＤ Ｌ２を非点灯とすることもできる。なお、この場合、ゲート端子Ｇ１の電位がすでにゲート端子Ｇ２の電位より低くなっているため、ＬＥＤ Ｌ１がオンすることはない。
（１１）そして、図９（Ｃ）に示すように、転送信号発生部１０３は、転送信号ＣＫ１ＲをＬにする（図９（ｊ））。これを受けて、レベルシフト回路１０４では、コンデンサＣ１Ａに蓄積された電荷が抵抗Ｒ１Ｂに向かう方向に流れ、やがて、図９（Ｄ）に示すように、第１の転送信号ＣＫ１の電位がＧＮＤになる。
【００４９】
（１２）以後、上述した動作を順次行い、他のＬＥＤ Ｌ３〜Ｌ１２８を順次点灯させる。
そして、ＬＥＤチップ５６における終端のＬＥＤ Ｌ１２８を消灯した後においては、転送信号ＣＫ１Ｃ、ＣＫ１Ｒを「Ｈ」として第１の転送信号ＣＫ１を「Ｈ」とし、さらに転送信号ＣＫ２Ｃ、ＣＫ２Ｒを「Ｈ」として第２の転送信号ＣＫ２を「Ｈ」とすることで、第１の転送信号ＣＫ１および第２の転送信号ＣＫ２を共に所定の時間だけ「Ｈ」の状態に保つ。これによって、すべてのサイリスタＳ１〜Ｓ１２８がオフする。したがって、この状態においては、すべてのサイリスタＳ１〜Ｓ１２８に電流が流れることはないので、サイリスタＳ１〜Ｓ１２８は消灯（非点灯）の状態に保持される。
【００５０】
なお、図９において、第１の転送信号ＣＫ１が「Ｌ」となってから第２の転送信号が「Ｌ」となるまでの期間、および、第２の転送信号ＣＫ２が「Ｌ」となってから第１の転送信号ＣＫ１が「Ｌ」となるまでの期間を点灯周期Ｔ１という。また、ライン同期信号Ｌｓｙｎｃが「Ｌ」となってから次のライン同期信号Ｌｓｙｎｃが「Ｌ」となるまでの期間を１ライン転送周期と呼ぶ。
【００５１】
続いて、図１０を参照しながら、信号発生回路１００における点灯信号発生部１０１の構成を詳細に説明する。点灯信号発生部１０１は、千鳥配列補正部１１１、点灯時間計算部１１２、シリアルパラレル変換部１１３、およびパルス発生部１１４(１１４_１〜１１４_６０)を備えている。また、点灯時間計算部１１２は、設定部あるいはレンズ補正値変更部として機能する補正データ決定部１２１と補正部として機能する演算部１２２とを備えている。
【００５２】
千鳥配列補正部１１１には、画像処理部４２からビデオデータＶｄａｔａが入力される。そして、千鳥配列補正部１１１は、画像処理部４２から入力されてくるビデオデータＶｄａｔａをＬＥＤチップ５６毎(１２８ドット毎のデータ群)に分ける。そして、千鳥配列補正部１１１は、奇数番目のＬＥＤチップ５６(Ｃ１、Ｃ３、…、Ｃ５９)に対応するデータ群および偶数番目のＬＥＤチップ５６(Ｃ２、Ｃ４、…、Ｃ６０)に対応するデータ群の出力タイミングを異ならせて、点灯時間計算部１１２に出力する。具体的には、副走査方向下流側に配置される偶数番目のＬＥＤチップ５６の発光タイミングが、副走査方向上流側に配置される奇数番目のＬＥＤチップ５６の発光タイミングよりも所定時間だけ遅れるように設定を行う。これにより、奇数番目のＬＥＤチップ５６により感光体ドラム１２上に形成される静電潜像と偶数番目のＬＥＤチップ５６により感光体ドラム１２上に形成される静電潜像との副走査方向位置を合わせることが可能になる。
【００５３】
点灯時間計算部１１２において、補正データ決定部１２１には、温度センサ４３から送られてくる温度検知信号Ｔｅｍｐ、ＥＥＰＲＯＭ１０２から送られてくるＬＥＤ補正データＵ、レンズ補正基準データＶ、および補正テーブルＴａが入力される。補正データ決定部１２１は、温度検知信号Ｔｅｍｐ、補正テーブルＴａ、およびレンズ補正基準データＶに基づいてレンズ補正データＷを作成し、ＬＥＤ補正データＵとともに演算部１２２に出力する。
【００５４】
また、点灯時間計算部１１２において、演算部１２２には、画像出力制御部４１から送られてくるライン同期信号Ｌｓｙｎｃ、千鳥配列補正部１１１にて千鳥配列補正がなされたビデオデータ(以下、千鳥補正ビデオデータと呼ぶ)Ｖｄａｔａ、および補正データ決定部１２１から送られてくるＬＥＤ補正データＵ、レンズ補正データＷが入力される。演算部１２２は、ライン同期信号Ｌｓｙｎｃに同期しつつ、千鳥補正ビデオデータＶｄａｔａに、ＬＥＤ補正データＵおよびレンズ補正データＷを用いて、７６８０個のＬＥＤそれぞれに対し、各々の点灯時間(点灯クロック数)を計算する。より具体的に説明すると、点灯時間計算部１１２は、千鳥補正ビデオデータＶｄａｔａにＬＥＤ補正データＵおよびレンズ補正データＷに基づく光量補正値を加味して、光量補正値の大きさに比例して点灯時間が長くなるよう、該当するＬＥＤの点灯クロック数を計算する。
【００５５】
シリアルパラレル変換部１１３は、点灯時間計算部１１２において計算された各ＬＥＤに対する点灯クロック数をパラレルデータに変換する。またパルス発生部１１４(１１４_１〜１１４_６０)は、シリアルパラレル変換部１１３にてパラレル変換された各信号に対し、パルス幅変調にて光量を変えることによって各点灯信号ΦＩ１〜ΦＩ６０を発生する。そして、パルス発生器１１４(１１４_１〜１１４_６０)は、発生した各点灯信号ΦＩ１〜ΦＩ６０を、ＬＰＨ１４のＬＥＤチップ５６(Ｃ１〜Ｃ６０)にそれぞれ出力する。これにより、ＬＰＨ１４の各ＬＥＤチップ５６では、点灯対象となるＬＥＤが、それぞれ設定された点灯時間だけ点灯することになる。
【００５６】
図１１は、ＥＥＰＲＯＭ１０２に保持される素子補正値としてのＬＥＤ補正データＵおよびレンズ補正値の基準データとしてのレンズ補正基準データＶを説明するための図である。これらのうち、ＬＥＤ補正データＵは、各ＬＥＤ単体の光量むらを補正するためのものである。ＬＥＤ補正データＵは、ＬＥＤの数に対応して７６８０個（Ｕ１〜Ｕ７６８０）の光量補正値を有している。一方、レンズ補正基準データＶは、ロッドレンズアレイ５４を構成するロッドレンズ５７の配列に伴う構造的な光量むらを補正するためのものである。レンズ補正基準データＶは、ＬＥＤ補正データＵとは異なり、ＬＥＤの数よりも多い７６８２個（Ｖ１〜Ｖ７６８２）の光量補正値を有している。ただし、後述するように、レンズ補正基準データＶに基づいて得られるレンズ補正値としてのレンズ補正データＷは、ＬＥＤの数に対応する７６８０個の光量補正値で構成される。なお、本実施の形態では、ＬＥＤ補正データＵおよびレンズ補正データＷが、補正値に対応する。
【００５７】
図１２は、ＬＥＤ補正データＵおよびレンズ補正基準データＶの一例を示している。なお、図１２においては、画素番号１〜２５６すなわちＬＥＤチップ５６（Ｃ１）およびＬＥＤチップ５６（Ｃ２）に実装されるＬＥＤ Ｌ１〜Ｌ２５６に対応するＬＥＤ補正データＵおよびレンズ補正基準データＶを示している。同図より、ＬＥＤ補正データＵが各ＬＥＤに対応する補正値を有していること、および、レンズ補正基準データＶがロッドレンズ５７のレンズピッチ（０．９ｍｍ、６００ｄｐｉでは２１．３画素分に相当）に対応する周期で変動していることが理解される。  
【００５８】
また、図１３は、ＥＥＰＲＯＭ１０２に保持される補正テーブルＴａを説明するための図である。補正テーブルＴａは、温度センサ４３による温度検知信号Ｔｅｍｐとレンズ補正基準データＶから間引きを行うあるいはレンズ補正基準データＶに追加を行う画素番号（それぞれ間引き対象画素番号、追加対象画素番号と呼ぶ）とを対応付けている。例えば温度検知信号Ｔｅｍｐが０℃以上１０℃未満の場合には、間引き対象画素番号「なし」、追加対象画素番号「７０００」が選択される。また、温度検知信号Ｔｅｍｐが１０℃以上３０℃未満の場合には、間引き対象画素番号「なし」、追加対象画素番号「なし」が選択される。さらに、温度検知信号Ｔｅｍｐが３０℃以上３５℃未満の場合には、間引き対象画素番号「７０００」、追加対象画素番号「なし」が選択される。さらにまた、温度検知信号Ｔｅｍｐが３５℃以上４０℃未満の場合には、間引き対象画素番号「６０００」、追加対象画素番号「なし」が選択される。また、温度検知信号Ｔｅｍｐが４０℃以上４５℃未満の場合には、間引き対象画素番号「４５００、６５００」、追加対象画素番号「なし」が選択される。さらに、温度検知信号Ｔｅｍｐが４５℃以上５０℃未満の場合には、間引き対象画素番号「２０００、５０００」、追加対象画素番号「なし」が選択される。
なお、０℃未満および５０℃以上の温度領域における間引き対象画素や追加対象画素が設定されていないのは、この画像形成装置の想定使用環境から外れるためである。
【００５９】
図１４は、点灯信号発生部１０１の点灯時間計算部１１２（具体的には補正データ決定部１２１および演算部１２２）で実行される処理の流れを説明するためのフローチャートである。
まず、補正データ決定部１２１が、ＥＥＰＲＯＭ１０２からＬＥＤ補正データＵおよびレンズ補正基準データＶを取得する（ステップ１０１）。次に、補正データ決定部１２１は、温度センサ４３から温度検知結果として温度検知信号Ｔｅｍｐを取得する（ステップ１０２）。さらに、補正データ決定部１２１は、取得した温度検知結果に基づいて対応する補正テーブルＴａを取得する（ステップ１０３）。そして、補正データ決定部１２１は、この補正テーブルＴａを用いて、レンズ補正基準データＶに補正を行い、レンズ補正データＷを作成する（ステップ１０４）。その後補正データ決定部１２１は、ステップ１０１で取得したＬＥＤ補正データＵおよびステップ１０４で作成したレンズ補正データＷを演算部１２２に出力する（ステップ１０５）。
【００６０】
次いで、演算部１２２は、千鳥配列補正部１１１から千鳥補正ビデオデータＶｄａｔａの入力を受け付ける（ステップ１０６）。そして、演算部１２２は、補正データ決定部１２１から取得したＬＥＤ補正データＵおよびレンズ補正データＷを用いて千鳥補正ビデオデータＶｄａｔａを補正し、シリアルパラレル変換部１１３に向けて出力する（ステップ１０７）。以上により、一連の処理が完了する。
【００６１】
では、具体例を挙げながら説明を行う。
図１５は、１０℃≦Ｔｅｍｐ＜３０℃の場合に設定される、画素番号とＬＥＤ補正データＵおよびレンズ補正データＷとの関係を示している。この場合は、補正テーブルＴａとして、間引き対象画素番号「なし」、追加対象画素番号「なし」が選択される。したがって、画素番号１〜７６８０に対して、ＬＥＤ補正データＵとしてＵ１〜Ｕ７６８０が、レンズ補正データＷとしてＶ１〜Ｖ７６８０がそれぞれ設定される。
【００６２】
また、図１６は、３０℃≦Ｔｅｍｐ＜３５℃の場合に設定される、画素番号とＬＥＤ補正データＵおよびレンズ補正データＷとの関係を示している。この場合は、補正テーブルＴａとして、間引き対象画素番号「７０００」、追加対象画素番号「なし」が選択される。したがって、画素番号１〜７６８０に対して、ＬＥＤ補正データＵとしてＵ１〜Ｕ７６８０が設定される。一方、レンズ補正データＷでは、画素番号７０００に対応していたレンズ補正基準データＶ７０００が間引かれることになる。その結果、レンズ補正データＷとして画素番号１〜６９９９に対してはＶ１〜Ｖ６９９９が、画素番号７０００〜７６８０に対してはＶ７００１〜Ｖ７６８１が、それぞれ設定される。
【００６３】
さらに、図１７は、４０℃≦Ｔｅｍｐ＜４５℃の場合に設定される、画素番号とＬＥＤ補正データＵおよびレンズ補正データＷとの関係を示している。この場合は、補正テーブルＴａとして、間引き対象画素番号「４５００、６５００」、追加対象画素番号「なし」が選択される。したがって、画素番号１〜７６８０に対して、ＬＥＤ補正データＵとしてＵ１〜Ｕ７６８０が設定される。一方、レンズ補正データＷでは、画素番号４５００に対応していたレンズ補正基準データＶ４５００および画素番号６０００に対応していたレンズ補正基準データＶ６０００が間引かれることになる。その結果、レンズ補正データＷとして画素番号１〜４４９９に対してはＶ１〜Ｖ４４９９が、画素番号４５００〜６４９９に対してはＶ４５０１〜Ｖ６５００が、画素番号６５００〜７６８０に対してはＶ６５０２〜Ｖ７６８２が、それぞれ設定される。
【００６４】
他方、図１８は、０℃≦Ｔｅｍｐ＜１０℃の場合に設定される、画素番号とＬＥＤ補正データＵおよびレンズ補正データＷとの関係を示している。この場合は、補正テーブルＴａとして、間引き対象画素番号「なし」、追加対象画素番号「７０００」が選択される。したがって、画素番号１〜７６８０に対して、ＬＥＤ補正データＵとしてＵ１〜Ｕ７６８０が設定される。一方、レンズ補正データＷでは、画素番号６９９９に対応していたレンズ補正データＶ６９９９が追加されることになる。その結果、レンズ補正データＷとして画素番号１〜６９９９に対してはＶ１〜Ｖ６９９９が、画素番号７０００〜７６８０に対してはＶ６９９９〜Ｖ７６７９が、それぞれ設定される。
【００６５】
本実施の形態では、６０個のＬＥＤチップ５６からなるＬＥＤアレイ５１が実装されるプリント基板５２と、複数のロッドレンズ５７からなるロッドレンズアレイ５４を支持するＬＰＨハウジング５５との材質が異なる。このため、両者で、画像形成装置内での温度変化に伴う熱膨張の度合いに違いが生じる。例えば本実施の形態では、ＬＰＨハウジング５５を構成するＦＲＰよりもプリント基板５２を構成するガラエポ材の方が熱によって伸びやすい。
【００６６】
ロッドレンズアレイ５４を用いた場合、図１２にも示したように、レンズのピッチによる光量むらが生じる。このため、本実施の形態では、ＬＥＤ自身のむらとロッドレンズアレイ５４によるむらとを加味した光量補正を行っている。しかしながら、周囲温度の変動に応じてプリント基板５２およびＬＰＨハウジング５５が伸縮すると、ＬＥＤアレイ５１を構成するＬＥＤとロッドレンズアレイ５４を構成するロッドレンズ５７との位置関係にわずかにずれが生じる。この例では、温度変化に伴って最大で１００μｍ程度の位置ずれが生じる。ＬＰＨ１４の出力解像度が６００ｄｐｉの場合、１００μｍは２．３６画素程度のずれに相当する。
【００６７】
このような位置ずれが生じると、ＬＥＤとロッドレンズ５７との位置関係にずれが生じ、その結果、レンズピッチによって生じる光量むらを補正できなくなってしまう。
ここで、図１９（ａ）はＬＥＤアレイ５１とロッドレンズアレイ５４との間に生じた位置ずれと、位置ずれによって生じる光量むらとの関係を説明するための図であり、図１９（ｂ）はその要部拡大図である。なお、図１９（ａ）、（ｂ）において、横軸は主走査方向位置を示し、縦軸は光量むら補正がなされた初期状態を１００％とした場合の光量比を示している。
【００６８】
この例では、主走査方向位置１００００μｍから一画素分の位置ずれが生じており、主走査方向位置３００００μｍから二画素分の位置ずれが生じている。主走査方向位置５０００μｍ〜１００００μｍの領域では、一画素分以上の位置ずれが生じてないため、光量補正により光量むらの発生が抑制されている。これに対し、１００００μｍ〜３００００μｍの領域では一画素分の位置ずれによりレンズ補正データが合わなくなり、レンズピッチ（０．９ｍｍ）に応じた光量むらが発生してしまっている。さらに、３００００μｍを超える領域では二画素分の位置ずれによりレンズ補正データがさらに合わなくなり、レンズピッチに応じた光量むらの大きさがより大きくなってしまっている。
【００６９】
これに対し、本実施の形態では、このような温度変化に応じて、レンズ補正基準データＶから特定位置のデータを間引きあるいは追加することにより、レンズ補正データＷを作成している。この特定の位置は、例えば図１９（ａ）に示す１００００μｍｍや３００００μｍなど、位置ずれに伴う光量変動が発生しはじめる部位に対応する画素に設定される。つまり、図１３に示す補正テーブルＴａは、このような実験を行った結果に基づいて予め設定される。このような設定に基づいてレンズ補正基準データＶから作成したレンズ補正データＷを用いて光量補正を行うことにより、温度変化によるＬＰＨ１４の伸縮にかかわらず、ＬＰＨ１４における光量むらの発生を抑制することが可能になる。
【００７０】
なお、本実施の形態では、温度センサ４３による温度検知信号Ｔｅｍｐに基づいて補正テーブルＴａの選択を行っていたが、これに限られるものではない。具体的に説明すると、他の環境条件、例えば湿度によってもプリント基板５２やＬＰＨハウジング５５の収縮が生じ得ることから、湿度検知信号も加味した状態で補正テーブルＴａの選択を行うようにしてもよい。
【００７１】
また、本実施の形態では、温度検知信号Ｔｅｍｐに基づき、レンズ補正基準データＶから特定位置のデータを間引きあるいは追加することでレンズ補正データＷを作成するようにしていたが、これに限られるものではない。例えば、温度領域毎のレンズ補正データを複数保持しておき、温度検知信号Ｔｅｍｐに応じて対応するレンズ補正データを読み出すようにすることができる。
【００７２】
さらに、本実施の形態では、画素毎にＬＥＤ補正データＵおよびレンズ補正データＷを別々に設定していたが、これに限られるものではなく、両者をまとめた一つの補正データとしてもよい。この場合には、温度領域毎の補正データを複数保持しておき、温度検知信号Ｔｅｍｐに応じて対応するレンズ補正データを読み出すようにすればよい。
【図面の簡単な説明】
【００７３】
【図１】本実施の形態が適用される画像形成装置の全体構成を示した図である。
【図２】画像形成ユニットの構成を説明するための図である。
【図３】ＬＰＨ（LED Print Head）の拡大断面図である。
【図４】ＬＰＨの斜視図である。
【図５】（ａ）はプリント基板の上面図であり、（ｂ）はロッドレンズアレイおよびＬＰＨハウジングの上面図である。
【図６】支持部材に対するプリント基板の取り付けを説明するための図である。
【図７】ドライバＩＣの構成およびプリント基板に形成される配線構造を示す図である。
【図８】ＬＥＤチップ、信号発生回路、およびレベルシフト回路の構成を説明するための図である。
【図９】ＬＥＤの点灯動作を説明するためのタイミングチャートである。
【図１０】点灯信号発生部の構成を説明するための図である。
【図１１】ＬＥＤ補正データおよびレンズ補正基準データを説明するための図である。
【図１２】ＬＥＤ補正データおよびレンズ補正基準データの一例を示す図である。
【図１３】補正テーブルを説明するための図である。
【図１４】点灯信号発生部の点灯時間計算部で実行される処理の流れを説明するためのフローチャートである。
【図１５】１０℃≦Ｔｅｍｐ＜３０℃の場合に設定される、画素番号とＬＥＤ補正データおよびレンズ補正データとの関係を示す図である。
【図１６】３０℃≦Ｔｅｍｐ＜３５℃の場合に設定される、画素番号とＬＥＤ補正データおよびレンズ補正データとの関係を示す図である。
【図１７】４０℃≦Ｔｅｍｐ＜４５℃の場合に設定される、画素番号とＬＥＤ補正データおよびレンズ補正データとの関係を示す図である。
【図１８】０℃≦Ｔｅｍｐ＜１０℃の場合に設定される、画素番号とＬＥＤ補正データおよびレンズ補正データとの関係を示す図である。
【図１９】（ａ）はＬＥＤアレイとロッドレンズアレイとの間に生じた位置ずれと、位置ずれによって生じる光量むらとの関係を説明するための図であり、（ｂ）はその要部拡大図である。
【符号の説明】
【００７４】
１４…ＬＥＤプリントヘッド(ＬＰＨ)、４１…画像出力制御部、４２…画像処理部、４３…温度センサ、５１…ＬＥＤアレイ、５２…プリント基板、５３…支持部材、５４…ロッドレンズアレイ、５５…ＬＰＨハウジング、５６（Ｃ１〜Ｃ６０）…ＬＥＤチップ、５７…ロッドレンズ、６４…ドライバＩＣ、１００…信号発生回路、１０１…点灯信号発生部、１０２…ＥＥＰＲＯＭ、１０３…転送信号発生部、１０４…レベルシフト回路、１１１…千鳥配列補正部、１１２…点灯時間計算部、１１３…シリアルパラレル変換部、１１４（１１４_１〜１１４_６０）…パルス発生部、１２１…補正データ決定部、１２２…演算部
【図１】
2008155458.tif 000003
【図２】
2008155458.tif 000004
【図３】
2008155458.tif 000005
【図４】
2008155458.tif 000006
【図５】
2008155458.tif 000007
【図６】
2008155458.tif 000008
【図７】
2008155458.tif 000009
【図８】
2008155458.tif 000010
【図９】
2008155458.tif 000011
【図１０】
2008155458.tif 000012
【図１１】
2008155458.tif 000013
【図１２】
2008155458.tif 000014
【図１３】
2008155458.tif 000015
【図１４】
2008155458.tif 000016
【図１５】
2008155458.tif 000017
【図１６】
2008155458.tif 000018
【図１７】
2008155458.tif 000019
【図１８】
2008155458.tif 000020
【図１９】
2008155458.tif 000021